【事件の表示】
　平成１１年特許願第３６０９７２号「パチンコ遊技機の球通過検出部品」拒絶査定不服審判事件〔平成１３年　６月２６日出願公開、特開２００１−１７０２６９〕について、次のとおり審決する。
【結　論】
　本件審判の請求は、成り立たない。
【理　由】
　
第一、手続きの経緯
　本願は、平成１１年１２月２０日の出願であって、平成２１年４月２７日付けで拒絶理由が通知され、これに対し、同年７月１０日付けで手続補正がなされ、同年１０月２２日付けで最後の拒絶理由が通知され、これに対し、同年１２月２５日付けで手続補正がなされ、平成２２年４月２８日付けで、前記平成２１年１２月２５日付けの手続補正の却下の決定及び拒絶査定がなされ、これに対し、平成２２年８月１０日付けで審判請求がなされるとともに、明細書の一部が補正されたものである。　
　
第二、平成２２年８月１０日付けの手続補正についての補正却下の決定
［補正却下の決定の結論］
　平成２２年８月１０日付けの手続補正（以下、「本件補正」という。）を却下する。
［理由］
　（１）補正前・後の本願発明　
　本件補正は、補正前（平成２１年１２月２５日付けの手続補正は既に却下されているので、平成２１年７月１０日付け手続補正により補正された特許請求の範囲）の請求項１乃至３のうち、請求項１に記載された、
 「【請求項１】　裏側に大型遊技装置（Ｋ）を取着すると共に前側に該遊技装置（Ｋ）の始動入賞条件を現出し得る入賞領域可変形態の始動入賞口（２０）を設けた遊技盤（Ｊ）の前側に取着され、該遊技盤（Ｊ）の前面を落下する遊技球の通過を検出手段（４８）で検出したもとで、前記始動入賞口（２０）における入賞領域の拡開変動条件を現出させ得るようにしたパチンコ遊技機の球通過検出部品（４７）において、
　前記球通過検出部品（４７）は、
　前記遊技盤（Ｊ）の前側に設置されて前記始動入賞口（２０）の上方かつ前記大型遊技装置（Ｋ）の前側に位置する大型装飾部品（Ｍ）に対し、その本体（３０）の側部における上下中央より上方に一体的に設けられると共に、
　前記検出手段（４８）の下方に、該検出部品（４８）で検出された遊技球を前記始動入賞口（２０）側へ向けて通出案内する案内部材（４９）を設けた
ことを特徴とするパチンコ遊技機の球通過検出部品。」　
 を以下のように補正するものである（下線部は補正部分）。　 
 　　　 
 「【請求項１】　裏側に大型遊技装置（Ｋ）を取着すると共に前側に該遊技装置（Ｋ）の始動入賞条件を現出し得る入賞領域可変形態の始動入賞口（２０）を設けた遊技盤（Ｊ）の前側に取着され、該遊技盤（Ｊ）の前面を落下する遊技球の通過を検出手段（４８）で検出したもとで、前記始動入賞口（２０）に
設けた揺動片（２１，２１）の傾動変位により
させる
　前記球通過検出部品（４７）は、
　前記遊技盤（Ｊ）の前側に設置されて前記始動入賞口（２０）の上方かつ前記大型遊技装置（Ｋ）の前側に位置する大型装飾部品（Ｍ）に対し、その本体（３０）の側部における上下中央より上方に一体的に設けられると共に、
　前記検出手段（４８）の下方に、該検出部品（４８）で検出された遊技球を前記始動入賞口（２０）側へ向けて通出案内する案内部材（４９）を設けた
ことを特徴とするパチンコ遊技機の球通過検出部品。」  
　 
　上記補正は、補正前の特許請求の範囲の請求項１に記載された発明を特定するために必要な事項である「始動入賞口（２０）における入賞領域の拡開変動条件を現出させ得る」を「始動入賞口（２０）に設けた揺動片（２１，２１）の傾動変位により入賞領域の拡開変動条件を現出させる」と限定するものであるから、本件補正は、平成１８年法律第５５号改正附則第３条第１項によりなお従前の例によるとされる同法による改正前の特許法第１７条の２第４項第２号の特許請求の範囲の減縮を目的とするものに該当する。
　　
　（２）そこで、本件補正後の前記請求項１に記載された発明（以下、「本願補正発明１」という。）が特許出願の際独立して特許を受けることができるものであるのか（上記改正前の特許法第１７条の２第５項において準用する同法第１２６条第５項の規定に適合するか）について以下に検討する。
　
　（あ）刊行物に記載された発明
　刊行物１；特開平４−１０５６７１号公報
　刊行物２；特開平９−２０１４５３号公報
　刊行物３；特開平６−１３４１０９号公報
　　
　原査定の拒絶理由に引用され、本願出願前に頒布された特開平４−１０５６７１号公報（以下、「引用刊行物１」という。）における、
　（１−１）公報第２頁左下欄第１行乃至右下欄第７行には、「第１図はこの発明が適用されたパチンコ遊技機の遊技盤１の構成例を示すもので、その前面には、遊技機の下部に設けられた打球発射装置（図示省略）によって発射された打球を遊技盤ｌの上方部まで案内するガイドレール３が配設されている。このガイドレール３と遊技盤１前面のガラス板とによって囲まれた空間内に遊技領域２が設けられている。
　この遊技領域２の中央には、上端に天入賞口５０を有し、左右に補助特定入賞口（補助特定入賞部）５１ｂ，５１ｂを有する変動入賞装置５が設置されている。この変動入賞装置５の直下位置には電動開放式型の補助変動入賞装置１００が、また、その左右の斜めの下方には特定入賞口（特定入賞部）１２，１２がそれぞれ設置されている。
　そして、前記補助変動入賞装置１００にはゲーム手段として、例えば、可変表示ゲーム器１０１が取り付けられていて、前記補助手段入賞口５１ｂへの打球の入賞時にその可変表示ゲーム器１０１による可変表示ゲーム（例えば、「０」，「１」，「２」，・・・，「８」，「９」，「０」・・・と数字表示が循環変動する可変表示ゲーム）を行ない、そのゲーム結果としての停止表示態様が特定の態様（例えば、数字の「７」等）になったときのみ、該補助変動入賞装置１００が一定時間（例えば、２秒間）ずつ複数回（例えば、３回）開くようになっている。」と、
　（１−２）同第２頁右下欄第１５行乃至第３頁左下欄第３行には、「そして、前記変動入賞装置５の外殻を構成する基枠５１内はその前面側が開口した入賞空間５２となっており、その左右上部には打球流入口５１ａ，５１ａが設けられている。これら打球流入口５１ａ，５１ａには、それぞれ可動部材５３，５３が回動自在に取り付けられている。これら可動部材５３，５３が前記特定入賞口１２又は補助変動入賞装置１００への打球の入賞時に、「ハ」の字状に閉じた第１状態（符号イを付して示す）から逆「ハ」の字状に開いた第２状態（符号ロを付して示す）にまで、１回（例えば、０．４秒間×１回）又は２回（例えば、０．８秒間×２回）回動して開き、入賞空間５２中に打球を受け入れない状態から打球を受け入れ易い状態に変換する予備遊技が行なわれるようになっている。
　また、前記入賞空間５２中の前記左右の打球流入口５１ａ，５１ａ間に、流下案内棚５４が後方側が下がるように緩傾斜した状態で取り付けられている。入賞空間５２中の奥部には、飛行機を模した装飾部材５５が、流下案内棚５４の後方へ打球の通過が可能な間隔を隔てた状態で設置されている。
　また、入賞空間５２中の底部には、案内底面５１ｃがその手前側が下がるように傾斜した状態に設けられている。
　この案内底面５１ｃの手前側に位置する入賞空間５２中の底部中央には、特別入賞部としての上端開口の特別入賞口（Ｖ入賞口）５６が設けられ、その左右両側には上端開口の一般入賞ロ５７，５７が設けられている。
　また、変動入賞装置５の上部側中央の前面側には、特別遊技のサイクル数を表示するサイクル表示ランプ１９が設置されている。
　また、変動入賞装置５の下部側前面の左右位置には風車と呼ばれる打球方向変換部材１７，１７が回転自在に取り付けられている。
　また、前記補助特定入賞口５１ｂ，５１ｂ、特定入賞口１２及び補助変動入賞装置１００中の各流路には、その中に流入した打球を検出する補助特定入賞検出器５１ｃ，５１ｃおよび特定入賞検出器１２ａ，１２ａ，１１０としての検出スイッチＳＷ１０，ＳＷ１０およびＳＷ１，ＳＷ１，ＳＷ２が、また、・・・がそれぞれ設置されている。」と、
　（１−３）同第３頁左下欄第４行乃至第４頁左上欄第１１行には、「上記のように概略構成されたパチンコ遊技機はそれに設置されたコンピュータシステム等の制御手段（後述）によって概ね次のように制御される。
　図外の電源スイツチ操作によりパチンコ遊技機に電気が供給されると、変動入賞装置１０に設置されたサイクル数表示ランプＩ９が全て同時に又は流れるように点滅を開始する。変動入賞装置５の左右の可動部材５３，５３は、入賞空間５２内への流入口５１ａ，５ｌａを閉じた第１状態（符号イを付して示す）を維持している。補助変動入賞装置１００の可動片１２１，１２１は第１図に示すように該可動片１２１，１２１間に打球が１個流入し得る程度に閉じた状態となっている。
　そして、図示省略の打球発射装置によって、遊技領域２内に打球が発射され、その打球が特定入賞口１２又は補助変動入賞装置１００中に入賞すると、それが特定入賞口１２、補助変動入賞装置１００中に設置された特定入賞検出器１２ａ又は１１０に検出される。その検出信号に基づいて、変動入賞装置５の左右の可動部材５３，５３が１回又は２回逆「ハ」字状に開いた第２状態（符号ロを付して示す）に変換して入賞空間５２中に打球が流入し易い状態、即ち、予備遊技状態となる。
　その第２状態に変換したときに、打球が入賞空間５２中に流入してくると、その打球は先ず流下案内棚５４を奥方向へ転動した後、案内底面５１ｃ上に落下し、今度は手前方向へ転動して、特別入賞口５６又は一般入賞ロ５７中に入賞する。
　結果的に特別入賞口５６中に入賞できなかった場合には、可動部材５３，５３が再び「ハ」の字状に閉じた状態に戻って、入賞空間５２中に打球を受け入れない第１状態（符号イを付して示す）を維持する。その場合にも、一般入賞ロ５７，５７中に入賞した打球の個数と対応する回数分の賞品球排出処理が図示省略の賞品球処理装置によって行なわれる。
  特定入賞口１２又は補助変動入賞装置１００中に打球が入賞するごとに上記動作が繰り返される。
　また、遊技中、補助特定入賞口５１ｂ中に打球が入賞すると、可変表示ゲーム装置１０１による可変表示ゲームが行なわれる。そして、そのゲーム結果としての停止表示が特定の停止表示（例えば、「７」の数字）となれば、補助変動入賞装置１００の可動片１２１，１２１が一定時間（例えば、２秒間）ずつ所定回数（例えば、３回）開かれる。そして、その分、補助変動入賞装置１００に打球が入賞し易くなり、もって予備遊技発生のチャンスが増える。」と、
　（１−４）同第４頁右上欄第２０行乃至左下欄第１０行には、「次の、第２図および第３図に基づき、上記変動入賞装置５の構成について詳しく説明する。
　変動入賞装置５の外殻を構成する基枠５１の手前側寄りの周囲には、取付板部５１ｄがフランジ状に形成されている。この取付板部５１ｄが遊技盤１の遊技領域２内の盤面に設けられた取付用開口部の前面側に密着状態に取り付けられている。
このように取り付けられた状態で、変動入賞装置５はその前側部分が遊技領域２内に突出し、後側部分が遊技盤１の盤面の裏側に突出した状態となっている。」と、
　（１−５）同第５頁左下欄第６行乃至第１０行には、「　また、変動入賞装置５の左右両端部には始補助特定入賞口５１ｂ，５１ｂが設けられ、該補助特定入賞口５１ｂ，５１ｂ中には補助特定入賞検出器５１ｃ，５１ｃとしての検出スイッチＳＷ１０，ＳＷ１０（第１図）が設置されている。・・・」と、
　（１−６）同第６頁左上欄第１４行乃至右上欄第１５行には、「　第６図および第７図には電動開放式特定入賞装置１００の構成例を示す。それらのうち、第６図は電動開放式の補助変動入賞装置１００の前側斜視図、第７図はその裏側斜視図である。
　補助変動入賞装置１００は遊技盤１の取付開口部（図示省略）に取り付けられる構成基枠１３０を備えている。
　この構成基枠１３０の前面側下部には前方に突出した状態で入賞球案内樋１２５が設けられ、該案内樋１２５によって、補助変動入賞装置１００に入賞した遊技球が構成基枠１３０の裏側に案内されるようになっている。そして、その入賞球案内樋１２５の真上には、左右一対の可動片１２１，１２１が、それぞれ、構成基枠１３０に回動自在に支持された回動軸１２２，１２２に固定された状態で開閉自在に設置されている。これら可動片１２１，１２１は略垂直上向きとなってそれら可動片１２１，１２１間に遊技球が１個流入し得る程度の流入通路を保持した状態に閉じた状態と逆「ハ」の字状となってそれら可動片１２１，１２１間に遊技球が入り易くなるように開いた状態とに変換可能となっている。」と、
　（１−７）同第９頁右上欄第６行乃至第８行には、「なお、上記実施例では、補助特定入賞口５１ｂを変動入賞装置５と一体に設けたが、遊技領域２中、いずれの箇所に設けてもよい。また、補助特定入賞口５１ｂをポケット型としたが通過型のものにしてもよい。」と、それぞれ記載されている。
　　
　（１−８）また、図面、特に「第１図」乃至「第３図」には、「前面に補助特定入賞口５１ｂを備えた、取付板部５１ｄ」が示されている。
　
　したがって、これらの記載事項を併せると、引用刊行物１には以下の発明が記載されていると認められる（なお、用語と符号とに一致しない記載が散見される（例えば、変動入賞装置５及び変動入賞装置１０：補助特定入賞口５１ｂ及び補助手段入賞口５１ｂ並びに始補助特定入賞口５１ｂ：補助変動入賞装置１００及び特定入賞装置１００：可変表示ゲーム装置１０１及び可変表示ゲーム器１０１）ので、公報第９頁右下欄の「図面の簡単な説明」に記されたもの（前記の例においては最初に記載されたもの）を採用する）。
　
「　遊技盤１の前面に配設されたガイドレール３と遊技盤１前面のガラス板とによって囲まれた遊技領域２の中央には、上端に天入賞口５０を有し、左右両端部に補助特定入賞口５１ｂ，５１ｂを有する変動入賞装置５が設置され、該変動入賞装置５の直下位置には電動開放式型の補助変動入賞装置１００が、その左右の斜めの下方には特定入賞口（特定入賞部）１２，１２がそれぞれ設置されている、パチンコ遊技機において、
　（１）補助変動入賞装置１００は遊技盤１の取付開口部に取り付けられる構成基枠１３０を備え、左右一対の可動片１２１，１２１が、それぞれ、構成基枠１３０に回動自在に支持された回動軸１２２，１２２に固定された状態で開閉自在に設置され、これら可動片１２１，１２１は略垂直上向きとなってそれら可動片１２１，１２１間に遊技球が１個流入し得る程度の流入通路を保持した状態に閉じた状態と逆「ハ」の字状となってそれら可動片１２１，１２１間に遊技球が入り易くなるように開いた状態とに変換可能となっており、
　（１ａ）前記補助変動入賞装置１００には、可変表示ゲーム装置１０１が取り付けられ、前記補助特定入賞口５１ｂへの打球の入賞時にその可変表示ゲーム装置１０１による可変表示ゲームを行ない、そのゲーム結果としての停止表示態様が特定の態様（例えば、数字の「７」等）になったときのみ、該補助変動入賞装置１００が一定時間（例えば、２秒間）ずつ複数回（例えば、３回）開くようになっており、
　（２）変動入賞装置５の上部側中央の前面側には、特別遊技のサイクル数を表示するサイクル表示ランプ１９が設置され、また、下部側前面の左右位置には風車と呼ばれる打球方向変換部材１７，１７が回転自在に取り付けられ、
　（２ａ）変動入賞装置５の外殻を構成する基枠５１の手前側寄りの周囲には、前面に補助特定入賞口５１ｂを備えた取付板部５１ｄがフランジ状に形成され、この取付板部５１ｄが遊技盤１の遊技領域２内の盤面に設けられた取付用開口部の前面側に密着状態に取り付けられた状態で、変動入賞装置５はその前側部分が遊技領域２内に突出し、後側部分が遊技盤１の盤面の裏側に突出した状態となっており、
　（２ｂ）前記基枠５１内はその前面側が開口した入賞空間５２となっており、その左右上部には打球流入口５１ａ，５１ａが設けられ、これら打球流入口５１ａ，５１ａには、それぞれ可動部材５３，５３が回動自在に取り付けられ、これら可動部材５３，５３が前記特定入賞口１２又は補助変動入賞装置１００への打球の入賞時に、「ハ」の字状に閉じた第１状態から逆「ハ」の字状に開いた第２状態にまで、１回（例えば、０．４秒間×１回）又は２回（例えば、０．８秒間×２回）回動して開き、入賞空間５２中に打球を受け入れない状態から打球を受け入れ易い状態に変換する予備遊技が行なわれるようになっており、
　（２ｃ）前記入賞空間５２中の前記左右の打球流入口５１ａ，５１ａ間に、流下案内棚５４が後方側が下がるように緩傾斜した状態で取り付けられ、入賞空間５２中の底部には、案内底面５１ｃがその手前側が下がるように傾斜した状態に設けられ、この案内底面５１ｃの手前側に位置する入賞空間５２中の底部中央には、特別入賞部としての特別入賞口（Ｖ入賞口）５６が設けられ、その左右両側には一般入賞ロ５７，５７が設けられ、
　（２ｄ）該補助特定入賞口５１ｂ，５１ｂ中には補助特定入賞検出器５１ｃ，５１ｃとしての検出スイッチＳＷ１０，ＳＷ１０が設置され、
　（２ｅ）補助特定入賞口５１ｂを通過型のものにしてもよく、
　（３）パチンコ遊技機に電気が供給されると、変動入賞装置５の左右の可動部材５３，５３は、入賞空間５２内への流入口５１ａ，５ｌａを閉じた第１状態を維持し、補助変動入賞装置１００の可動片１２１，１２１は該可動片１２１，１２１間に打球が１個流入し得る程度に閉じた状態となっており、
　（４）遊技領域２内に発射された打球が特定入賞口１２又は補助変動入賞装置１００中に入賞すると、特定入賞検出器１２ａ又は１１０に検出され、変動入賞装置５の左右の可動部材５３，５３が１回又は２回逆「ハ」字状に開いた第２状態に変換して入賞空間５２中に打球が流入し易い状態、即ち、予備遊技状態となり、その第２状態に変換したときに、打球が入賞空間５２中に流入してくると、その打球は先ず流下案内棚５４を奥方向へ転動した後、案内底面５１ｃ上に落下し、今度は手前方向へ転動して、特別入賞口５６又は一般入賞ロ５７中に入賞する、
　パチンコ遊技機（以下、「引用発明１」という。）。」
　
　原査定の拒絶理由に、周知技術が記載されているとして引用された特開平９−２０１４５３号公報（以下、「引用刊行物２」という。）には以下の記載がある。
　（２−１）「（５７）【要約】
【課題】  製作が簡単かつコストの軽減が可能なパチンコ機の通過チャッカーを提供することを目的とする。
【解決手段】  パチンコ球の通過を検出する通過ゲート１５の下方に、該通過ゲート１５を通過したパチンコ球を受けて横方向へ送り出す流路変更部材２３を配置してなり、該流路変更部材２３は左・右側いずれかに所定角度回転させた位置で固定し得るようにし、１種類の通チャッカー１０で遊技盤１の左・右側いずれにも装着できる構成とした。」、
　（２−２）「【０００９】そして、前記可変表示装置４の左・右両側には本発明の実施の形態の要部を構成する通過チャッカー１０（１０ａ），１０（１０ｂ）が装着されており、該各通過チャッカー１０（１０ａ），１０（１０ｂ）を通過したパチンコ球はそれぞれ遊技盤の中央領域、すなわち始動入賞口５側へ送り出されるようになっている。なお、その詳細な構成は後に詳述する。また、１１は遊技盤１面に装着される風車，１２は一般入賞口である。」。
　　　　
　原査定の拒絶理由に、周知技術が記載されているとして引用された特開平６−１３４１０９号公報（以下、「引用刊行物３」という。）には以下の記載がある。
　（３−１）「【００２１】通過型チャッカ１０９は、図２，図３および図４に示すように、遊技盤１００に固定されたチャッカ本体１０９ａに蓋体１０９ｂを組み付けて構成され、これらチャッカ本体１０９ａと蓋体１０９ｂとの間に近接センサＳが取り付けられる。チャッカ本体１０９ａには部分円弧状の誘導部１０９ｃが一体的に形成され、この誘導部１０９ｃによってチャッカ本体１０９ａと蓋体１０９ｂとの間に湾曲した玉通路１２３が形成される。この玉通路１２３は、上部に入口１２３ａが開口し、また、入賞調整装置１１１ａに向かって出口１２３ｂが開口し、入口１２３ａに入ったパチンコ玉Ｐを電動役物１１１の誘導開閉部材１１１ａに向かって導くようになっている。
【００２２】前記近接センサＳは、入口１２３ａの付近に配設され、玉通路１２３を通過するパチンコ玉Ｐを電磁的に検出する。・・・」。
　　　　　　　
　（い）本願補正発明１と引用発明１との比較・検討
　前記の「（２ｅ）補助特定入賞口５１ｂを通過型のものにしてもよく、」に基づき、比較・検討する。
　（い−１）引用発明１の「遊技盤１」は、本願補正発明１の「遊技盤（Ｊ）」に相当し、以下同様に、「遊技球」及び「打球」は「遊技球」に、「補助特定入賞検出器５１ｃ」は「検出手段（４８）」に、「可動片１２１，１２１」は「揺動片（２１，２１）」に、「パチンコ遊技機」は「パチンコ遊技機」に、「補助特定入賞口５１ｂ」は「球通過検出部品（４７）」に、それぞれ相当する。
　（い−２）引用発明１の「変動入賞装置５」と本願補正発明１の「大型遊技装置（Ｋ）」及び「大型装飾部品（Ｍ）」とを比較すると、遊技盤に取り付けられている点で共通しているから、「大型遊技盤取付装置」において一致する。
　（い−３）引用発明１は、「遊技領域２内に発射された打球が補助変動入賞装置１００中に入賞する」もので、「変動入賞装置５には、それぞれ可動部材５３，５３が回動自在に取り付けられ、これら可動部材５３，５３が補助変動入賞装置１００への打球の入賞時に、「ハ」の字状に閉じた第１状態から逆「ハ」の字状に開いた第２状態にまで回動して開き、入賞空間５２中に打球を受け入れない状態から打球を受け入れ易い状態に変換する」ものであるから、引用発明１は、本願補正発明１の「前側に（該）遊技装置（Ｋ）の始動入賞条件を現出し得る入賞領域可変形態の始動入賞口（２０）を設けた遊技盤（Ｊ）」との技術事項と比較して、「前側に（該）大型遊技盤取付装置の始動入賞条件を現出し得る入賞領域可変形態の始動入賞口（２０）を設けた遊技盤（Ｊ）」において一致する。
　（い−４）引用発明１は、「補助特定入賞口５１ｂ，５１ｂ中には補助特定入賞検出器５１ｃ，５１ｃとしての検出スイッチＳＷ１０，ＳＷ１０が設置され」るもので、「補助変動入賞装置１００には、可変表示ゲーム装置１０１が取り付けられ、前記補助特定入賞口５１ｂへの打球の入賞時にその可変表示ゲーム装置１０１による可変表示ゲームを行ない、そのゲーム結果としての停止表示態様が特定の態様（例えば、数字の「７」等）になったときのみ、該補助変動入賞装置１００が一定時間（例えば、２秒間）ずつ複数回（例えば、３回）開く」ものであるから、引用発明１は、本願補正発明１の「遊技盤（Ｊ）の前側に取着され、該遊技盤（Ｊ）の前面を落下する遊技球の通過を検出手段（４８）で検出したもとで、（前記）始動入賞口（２０）に設けた揺動片（２１，２１）の傾動変位により入賞領域の拡開変動条件を現出させるようにしたパチンコ遊技機の球通過検出部品（４７）」との技術事項を備えている。
　（い−５）引用発明１は、「遊技領域２の中央には、左右両端部に補助特定入賞口５１ｂ，５１ｂを有する変動入賞装置５が設置され、該変動入賞装置５の直下位置には電動開放式型の補助変動入賞装置１００が、設置されている」ものであるから、引用発明１は、本願補正発明１の「（前記）球通過検出部品（４７）は、
　（前記）遊技盤（Ｊ）の前側に設置されて（前記）始動入賞口（２０）の上方かつ（前記）大型遊技装置（Ｋ）の前側に位置する大型装飾部品（Ｍ）に対し、その本体（３０）の側部における上下中央より上方に一体的に設けられる」との技術事項と比較して、「（前記）球通過検出部品（４７）は、
　（前記）遊技盤（Ｊ）の前側に設置されて（前記）始動入賞口（２０）の上方かつ（前記）大型遊技盤取付装置に対し、その本体（３０）の側部に一体的に設けられる」において一致する。
　
そうすると、両者の一致点及び相違点は次のとおりである。
　
　一致点
　前側に大型遊技盤取付装置の始動入賞条件を現出し得る入賞領域可変形態の始動入賞口を設けた遊技盤の前側に取着され、該遊技盤の前面を落下する遊技球の通過を検出手段で検出したもとで、前記始動入賞口に設けた揺動片の傾動変位により入賞領域の拡開変動条件を現出させるようにしたパチンコ遊技機の球通過検出部品において、
　前記球通過検出部品は、
　前記遊技盤の前側に設置されて前記始動入賞口の上方かつ前記大型遊技盤取付装置に対し、その本体の側部に一体的に設けられる、パチンコ遊技機の球通過検出部品。　
　
　相違点Ａ
　大型遊技盤取付装置が、本願補正発明１では遊技盤の裏側に取着される大型遊技装置（Ｋ）と大型遊技装置（Ｋ）の前側に位置する大型装飾部品（Ｍ）とにより構成されるものであるのに対し、引用発明１では、「変動入賞装置５はその前側部分が遊技領域２内に突出し、後側部分が遊技盤１の盤面の裏側に突出した状態となって」いる点
　相違点Ｂ
　球通過検出部品が、本願補正発明では大型装飾部品（Ｍ）の本体（３０）の側部における上下中央より上方に一体的に設けられるのに対し、引用発明１では、変動入賞装置５の左右両端部に設けられる点
　相違点Ｃ
　本願補正発明では、検出手段（４８）の下方に、該検出部品（４８）で検出された遊技球を始動入賞口（２０）側へ向けて通出案内する案内部材（４９）を設けたのに対し、引用発明１では、そのような構成を設けていない点
　
　そこで、上記相違点について検討する。
　相違点Ａについて　
　本願補正発明１の「大型装飾部品（Ｍ）」について、本願の明細書には、
　（Ｍ−１）「【００１２】（遊技盤）前記遊技盤Ｊは、図２に示すように・・・始動入賞口２０と、この始動入賞口２０の直上方に配置されて図柄透視並びに遊技球案内をなす大型の装飾部品Ｍと、風車とも称されて遊技球用の流下方向を任意に変向する電飾案内車２２および普通案内車２３と、・・・前記大型電動式の入賞装置２４と、・・・電飾装置２５等を備えている。また遊技盤Ｊの裏側には、図３に示すように、・・・前記装飾部品Ｍの透視窓部３１の裏側に合わせて液晶式の図柄表示装置（大型遊技装置）Ｋが取着される（図７，図８）。なお前記普通案内車２３は、前記装飾部品Ｍの前面に配設されている。・・・」、
　（Ｍ−２）「【００１４】（装飾部品）そして、前記図柄表示装置Ｋの前側に位置する大型の装飾部品Ｍは、その基本的な構成として、該図柄表示装置Ｋの図柄変動状態を遊技者に目視可能とする図柄透視部と、通常遊技状態および特別遊技状態に応じて点灯・消灯（点滅）制御されるランプ類を設けた電光装飾表示部と、遊技球の通入出案内を図る遊技球通入出案内部等を一つに備えて、夫々の構成部に係る機能・役割を好適に図り得るようにしたものである。・・・」、
　（Ｍ−３）「【００１８】（保留ランプ）また本実施例の装飾部品Ｍでは、前記透視窓部３１における内側の左下隅角部（球案内部３５の前面左側）に、保留ランプ４６が配設されている。・・・」、　
　（Ｍ−４）「【００１９】（普通図柄始動ゲート）更に本実施例の装飾部品Ｍでは、前記本体３０から左右側方へ一体的に延出形成された支持板４５，４５に、検出スイッチ４８を備えた普通図柄始動ゲート（球通過検出部品）４７，４７が配設されている。・・・」と、それぞれ記載されているから、
　本願補正発明１の「大型遊技装置Ｋの前側に位置する大型装飾部品（Ｍ）」は、
　「前面に風車とも称される普通案内車２３、及び保留ランプ４６、並びに球通過検出部品４７が配設され、
　図柄透視部と、遊技状態に応じて点滅制御されるランプ類を設けた電光装飾表示部と、遊技球の通入出案内を図る遊技球通入出案内部等を一つに備えて」いるものと認められる。
　一方、引用発明１の「大型遊技盤取付装置（変動入賞装置５）」は、「その前側部分が遊技領域２内に突出し、後側部分が遊技盤１の盤面の裏側に突出した状態となっており」、「上部側中央の前面側には、特別遊技のサイクル数を表示するサイクル表示ランプ１９が設置され、また、下部側前面の左右位置には風車と呼ばれる打球方向変換部材１７，１７が回転自在に取り付けられ、さらに、取付板部５１ｄの前面には補助特定入賞口５１ｂが備えられ」、「打球が入賞空間５２中に流入してくると、その打球は先ず流下案内棚５４を奥方向へ転動した後、案内底面５１ｃ上に落下し、今度は手前方向へ転動して、特別入賞口５６又は一般入賞ロ５７中に入賞する」ものであるから、引用発明１の「大型遊技盤取付装置（変動入賞装置５）」は、「遊技盤の奥側に位置する大型遊技装置（流下案内棚５４及び案内底面５１ｃ）と該大型遊技装置の前側に位置する、ランプ（サイクル表示ランプ１９）及び風車（打球方向変換部材１７）並びに球通過検出部品（補助特定入賞口５１ｂ）」を備えているといえる。そうすると、大型遊技盤取付装置において本願補正発明１と引用発明１とに実質的な相違点は認められない。
　相違点Ｂについて　　
　球通過部品の取付け位置を何処にするかは、遊技球の遊技領域における挙動態様や他の遊技部品との関連構成などを考慮して、当業者が適宜なし得る設計上の事項であるから、相違点Ｂに係る構成とすることは当業者が容易になし得たものである。
　相違点Ｃについて　
　検出手段の下方に、該検出部品で検出された遊技球を始動入賞口側へ向けて通出案内する案内部材を設けた技術は、例えば、引用刊行物２に示された「パチンコ球の通過を検出する通過ゲート１５の下方に、該通過ゲート１５を通過したパチンコ球を受けて始動入賞口５側へ送り出す流路変更部材２３を配置した、通過チャッカー」、及び引用刊行物３に示された「入口１２３ａの付近に近接センサＳが配設され、部分円弧状の誘導部１０９ｃによって湾曲した玉通路１２３が形成され、入口１２３ａに入ったパチンコ玉Ｐを電動役物１１１の誘導開閉部材１１１ａに向かって導くようになっている、通過型チャッカ１０９」のように、周知・慣用技術であるから、当該周知・慣用技術を引用発明１の検出手段（補助特定入賞検出器５１ｃ）に適用し、相違点Ｃに係る構成とすることは当業者が容易になし得たものである。
　
　そして、効果の点においても、本願補正発明１が格別の効果を有するとは認められない。
　
　よって、本願補正発明は、引用発明１及び周知・慣用技術に基づいて、当業者が容易に発明をすることができたものであるから、特許法第２９条第２項の規定により特許出願の際独立して特許を受けることができないものである。
　
　（う）むすび
　以上のとおり、本件補正は、平成１８年法律第５５号改正附則第３条第１項によりなお従前の例によるとされる同法による改正前の特許法第１７条の２第５項において準用する同法第１２６条第５項の規定に違反するので、同法第１５９条第１項において読み替えて準用する同法第５３条第１項の規定により却下すべきものである。
　
第三、本願発明について
　平成２２年８月１０日付けの手続補正は上記のとおり却下され、また、上記「第一、手続きの経緯」に示すように、平成２１年１２月２５日付けの手続補正は既に却下されているので、本願の請求項１乃至３に係る発明は、平成２１年７月１０日付け手続補正書の特許請求の範囲の請求項１乃至３に記載されたとおりのものと認められるところ、その請求項１に記載された発明は、前記「第二、［理由］（１）補正前・後の本願発明」に補正前として記載したとおりである。
　　
　（ア）刊行物に記載された発明
　原査定の拒絶理由に引用され、本願出願前に頒布された、引用刊行物１（特開平４−１０５６７１号公報）及び引用刊行物２（特開平９−２０１４５３号公報）並びに引用刊行物３（特開平６−１３４１０９号公報）に記載された事項は前記「第二、［理由］（２）（あ）刊行物に記載された発明」に記載された事項と同様であるから、援用する。
　
　（イ）本願発明１と引用発明１との比較・検討
　本願補正発明１は、前記「第二、［理由］（１）補正前・後の本願発明」で検討したように、本願発明１を特定するために必要な事項である「始動入賞口（２０）における入賞領域の拡開変動条件を現出させ得る」を「始動入賞口（２０）に設けた揺動片（２１，２１）の傾動変位により入賞領域の拡開変動条件を現出させる」と限定するものである。
　
　そうすると、本願補正発明１は、本願発明１の発明特定事項を全て含み、さらに他の発明特定事項を付加したものに相当するものであって、その本願補正発明１が、前記「第二、［理由］（２）（い）本願補正発明１と引用発明１との比較・検討」に記載したとおり、本願補正発明１は、引用発明１及び周知・慣用技術に基づいて、当業者が容易に発明をすることができたものであるから、本願発明１も、同様の理由により、引用発明１及び周知・慣用技術に基づいて、当業者が容易に発明をすることができたものである。
　
　（ウ）本願発明についてのむすび
　以上のとおり、本願発明１は、引用発明１及び周知・慣用技術に基づいて、当業者が容易に発明をすることができたものであるから、特許法第２９条第２項の規定により特許を受けることができないものであり、本願の他の請求項に係る発明について検討するまでもなく、本願は拒絶すべきものである。
　よって、結論のとおり審決する。